(57)【要約】      （修正有）【課題】カード上の価格等の文字や数字を拡大状態にて看取可能にすることで、老人や弱視者にもその文字や数字の読み間違いが生じるのを有効に回避可能にするカード表記の拡大表示具を提供する。【解決手段】カードホルダＨ２に係止可能な係止片１２と、これらの係止片１２が前記カードホルダＨ２に係止されることによって、カードホルダＨ２に差されたカードＰの前面を被う拡大レンズ部１１ａと、を備え、拡大レンズ部１１ａが前記カードＰ上の表記を拡大表示する構成である。【選択図】図２
0003151037.tif 000002
【実用新案登録請求の範囲】
【請求項１】
カードホルダに係止可能な係止片と、
この係止片に連接され、この係止片が前記カードホルダに係止されることにより、前記カードホルダに差されたカードの前面を被う拡大レンズ部と、
を備え、
該拡大レンズ部が前記カード上の表記を拡大表示することを特徴とするカード表記の拡大表示具。
【請求項２】
前記拡大レンズ部がフレネルレンズであることを特徴とする請求項１に記載の拡大表示具。
【請求項３】
前記拡大レンズ部がリニアフレネルレンズであることを特徴とする請求項１に記載の拡大表示具。
【考案の詳細な説明】
【技術分野】
【０００１】
本考案は、プライスカードなどのカードホルダに差されたカード上の表記を拡大して表示するカード表記の表示装置に関するものである。
【背景技術】
【０００２】
デパートや商店で販売する商品は、陳列棚等に載置され、その商品の価格や商品説明等を表記するプライスカードが設置される。このプライスカードは、通常、透明材料からなるカードホルダに差されて（保持されて）用いられ（例えば特許文献１参照）、そのプライスカードの汚れを防止したり、その商品の価格等を顧客から見易くしたりしている
【０００３】
かかるプライスカード用のカードホルダ（プライスカードホルダ）は、商品の陳列形態によって種々のものが提供されている。図６は、透明のプラスチック板１を略Ｖ字状に成形し、このＶ字状に折り曲げられた各片を支持片１ａと起立片１ｂとしたカードホルダＨ１を示す。起立片１ｂの上端には所定垂下長のＵ字状の折り返し片１ｃが一体に連設されている。
【０００４】
折り返し片１ｃと起立片１ｂの上端部との間にはプライスカードＰを挟持するカード挟持間隙Ｇが形成されている。プライスカードＰは上部が挟持間隙Ｇに介在されるようにして、支持片１ａ上（図では支持片１ａと起立片１ｂとが連続するコーナ部分）に載置される。このプライスカードは商品を展示する棚板上などに載置されるようにして用いられる。
【０００５】
図７は、矩形で透明のプラスチック板２をＵ字状に形成して前面片２ａと支持片２ｂとし、この支持片２ｂの上端に略Ｕ字状のフック片２ｃを連設したカードホルダＨ２を示す。このカードホルダＨ２はプライスカードＰを前面片と支持片２ｂとの間に出し入れ可能に収納する。このカードホルダＨ２は、前記フック片２ｃを棚板前面に設けられた水平ガイド片（図示しない）に係止または挟持させることによって、前記棚板前面に保持される。
【０００６】
図８は、パンチングボードなどに係止可能なフックを先端に持つ支持棒３に、プラスチック製の支持台４ａを有するカード支持片４を一体に設けたカードホルダＨ３を示す。カード支持片４前面の周辺部には、プライスカードＰの左右部分および下縁部を支承するとともに、このプライスカードＰの出し入れを容易に行えるようにする略Ｌ字状の複数のフック片５が、一体に配置されている。
【０００７】
図９は、陳列棚の木口に形成された湾曲面Ｗに対し、上下部にＵ字状のカード係止片６ｂを持つ矩形のカード支持片６ａが取り付けられるカードホルダＨ４を示す。プライスカードＰはその上下部がカード係止片６ｂ、６ｂに挿入されるようにしてカードホルダＨ４に保持される。
前記いずれのカードホルダＨ１〜Ｈ４もそれぞれ陳列される商品付近に設置され、これらに支持または装着されたプライスカードＰ表面の表記、例えば商品の価格や商品説明などの文字や数字を、顧客に看取可能にしている。
【先行技術文献】
【特許文献】
【０００８】
【特許文献１】特開２００２−１１２８６０号公報
【考案の概要】
【考案が解決しようとする課題】
【０００９】
しかしながら、従来のカードホルダおよびプライスカードは、陳列商品に対して顧客の視界を妨げないように比較的小型に作られているため、そのプライスカードに表記された陳列商品の価格や商品説明などの文字や数字を、離れた位置から容易に読み取ることができない場合がある。
特に、顧客が老人や弱視者である場合や、付近の照明が十分に明るくない環境では、読み誤りを生じるという不都合があった。
【００１０】
本考案はかかる従来の問題点に着目してなされたものであり、プライスカードやカードホルダが小型であっても、プライスカード上の価格等の文字や数字を拡大状態にて看取可能にすることで、老人や弱視者にもその文字や数字の読み間違いが生じるのを有効に回避することができるカード表記の拡大表示具を提供することを目的とする。
【課題を解決するための手段】
【００１１】
前述した目的を達成するために、本考案に係るカード表記の拡大表示具は、カードホルダに係止可能な係止片と、この係止片に連接され、この係止片が前記カードホルダに係止されることにより、前記カードホルダに差されたカードの前面を被う拡大レンズ部と、を備え、該拡大レンズ部が前記カード上の表記を拡大表示することを特徴とする。
【００１２】
この構成により、カードホルダに対し拡大表示具を係止するという簡単操作によって、拡大レンズ部をカードホルダの前面に位置させることができる。従って、このカードホルダに支持されたプライスカード等のカードに表記された商品の価格等の文字や数字を拡大して、顧客に容易かつ明瞭に看取ることができる。
【００１３】
また、本考案に係るカード表記の拡大表示具は、前記拡大レンズ部がフレネルレンズであることを特徴とする。
この構成により、レンズが全体として肉薄であるにもかかわらず、プライスカード等のカード上の表記を所期の倍率にて拡大表示することができるほか、レンズの厚みが薄い分軽量化でき、材料コストの低減をも図ることができる。
【００１４】
また、本考案に係るカード表記の拡大表示具は、前記拡大レンズ部がリニアフレネルレンズであることを特徴とする。
この構成により、直線方向に長いカードホルダに装着された長尺の一枚または複数枚のカードや、直線方向に並ぶ複数個のカードホルダに装着された複数のカード上の各表記を、１枚のリニアフレネルレンズにて、横一列に纏めて拡大表示することができる。
【考案の効果】
【００１５】
本考案によれば、プライスカードやカードホルダが小形であっても、プライスカード上の価格等の文字や数字を拡大状態にて看取可能にすることで、老人や弱視者にもその文字や数字の読み間違いが生じるのを有効に回避できる。
【図面の簡単な説明】
【００１６】
【図１】本考案の実施形態によるカード表記の拡大表示具を示す斜視図である。
【図２】図１に示す拡大表示具のカードホルダに対する装着例を示す断面図である。
【図３】本考案の他の実施形態によるカード表記の拡大表示具を示す斜視図である。
【図４】本考案の他の実施形態によるカード表記の拡大表示具を示す斜視図である。
【図５】本考案の他の実施形態によるカード表記の拡大表示具を示す斜視図である。
【図６】従来のプライスカードホルダを示す斜視図である。
【図７】従来の他のプライスカードホルダを示す斜視図である。
【図８】従来の他のプライスカードホルダを示す斜視図である。
【図９】従来の他のプライスカードホルダを示す斜視図である。
【考案を実施するための形態】
【００１７】
以下、本考案の実施形態によるカード表記の拡大表示具を、図１乃至図５を参照して詳細に説明する。
図１は、本考案の一実施形態によるカード表記の拡大表示具を示す斜視図、図２は、図１に示す拡大表示具のカードホルダに対する装着例を示す断面図、図３〜図５は、本考案の他の実施形態によるカード表記の拡大表示具を示す斜視図である。
【００１８】
図１は、カード表記の拡大表示具の一実施形態を示す。この拡大表示具Ａは、表面が同一曲率の円弧面１１ａを持つレンズ本体１１と、このレンズ本体１１の後方に連設された係止片１２とを一体に有するものからなる。レンズ本体１１の裏面、つまり前記円弧面１１ａとは反対側の面は平坦な垂直面１１ｂをなし、この垂直面１１ｂには後述のカードホルダの表面が臨むこととなる。従って、この垂直面１１ａのサイズまたは広さは、前記カードホルダの表面積に略等しいものとされる。
【００１９】
係止片１２はレンズ本体１１の上端にブリッジ部１３を介して連設され、このブリッジ部１３によってレンズ本体１１および係止片１２間に間隙Ｇが形成される。この間隙Ｇは、カードホルダの上部を挟み込むことができる十分な広さを持ち、従ってカードホルダのサイズごとに決定される。
【００２０】
図２は、この拡大表示具Ａの使用例を示す。ここでは図７に示したカードホルダＨ２に装着した状態を示している。この例では、前記ブリッジ部１３によって形成された間隙Ｇを利用して、係止片１２およびレンズ本体１１間に、カードホルダＨ２における前面片２ａおよび支持片２ｂの各上部とフック片２ｃとを同時に介在するようにしている。これにより、そのカードホルダＨ２に装着されたプライスカードＰの表記を、前面片２ａを介して、レンズ本体１１ａにより拡大表示することができる。
【００２１】
なお、この拡大表示具Ａは、図６および図８に示したカードホルダＨ１、Ｈ３に対しても使用可能である。この場合には、前記間隙Ｇを、図６に示すカードホルダＨ１の起立片１ｂおよび折り返し片１ｃを含む所定厚み（幅）相当分とし、図８に示すカードホルダＨ３では、カード支持片４およびフック片５を含む所定厚み（幅）相当分とする。
【００２２】
図３は、他の拡大表示具Ｂを示す。この拡大表示具Ｂは、表面が拡大表示具Ａと略同様に同一曲率の円弧面１４ａを持つレンズ本体１４と、このレンズ本体１４の後方に連設された係止片１５とを一体に有するものからなる。レンズ本体１４は、レンズ各部の厚みを薄くするために階段状面１４ｂとしたリニアフレネルレンズが使用される。
【００２３】
係止片１５はレンズ本体１４の上端にブリッジ部１６を介して連設され、このブリッジ部１６によってレンズ本体１４および係止片１５間に間隙Ｇが形成される。この間隙Ｇは、カードホルダの上部を十分に挟み込むことができる広さを持ち、従ってカードホルダのサイズごとに決定される。
【００２４】
この拡大表示具Ｂは、間隙Ｇ内に図６〜図８に示すカードホルダＨ1〜Ｈ３の上部を装着するように、係止片１５をその上部に係止可能となっている。従って、各カードホルダＨ１〜Ｈ３に装着されたプライスカードＰの表記を、前記同様にレンズ本体１４によって拡大表示することができる。この場合は、拡大表示具をフレネルレンズ構成を採用したことでレンズ各部の厚みを減らし、軽量化することができ、しかもこの拡大表示具Ｂの取り扱いが容易になる。
【００２５】
図４は、他の拡大表示具Ｃを示す。この拡大表示具Ｃは、矩形のレンズ本体１７と、このレンズ本体１７上部の後方にブリッジ部２０を介して連設された係止片１８およびカードホルダの位置決め片１９とを、一体に有するものからなる。レンズ本体１７はレンズの厚みを平板に近い状態に形成したフレネルレンズである。このフレネルレンズは、同心円状の領域に分割して厚みを減らした周知構成のレンズ構成であり、通常の凸レンズと同様の拡大像を結像（看取）可能である。また、レンズ本体１７の下部には位置決め片１９に対応する部位に位置決め片２１が設けられ、これが下部ブリッジ部２２を介してレンズ本体１７に連設されている。
【００２６】
この拡大表示具Ｃは、前記係止片１８と位置決め片１９との間隙Ｇ内に、図６〜図８に示すカードホルダＨ１〜Ｈ３の上部を装着するように、その上部に係止片１８を係止することで、各カードホルダＨ１〜Ｈ３に装着されたプライスカードＰの表記をレンズ本体１７によって拡大表示することができる。
【００２７】
図５は他の拡大表示具Ｄを示す。この拡大表示具Ｄは、前記拡大表示具Ｂと略同様の円弧面２３ａを持つレンズ本体２３を持ち、上下端部には所定幅の取り付け片２４が円弧面２３ａに連続するように、垂直方向に延設されている。このレンズ本体２３はレンズの厚みを薄くするために階段状面２３ｂとしたリニアフレネルレンズ構成となっている。
【００２８】
この拡大表示具Ｄは、上下部の係止片２４が、例えば図９に示すようなカードホルダＨ４の上下部のカード係止片６ｂと、カード支持片６ａに支持されたプライスカードＰの上端部との間に差し入れるように介在される。これにより、その湾曲するプライスカードＰ上の表記を拡大して表示することができる。
【００２９】
なお、前記各実施形態において、プライスカードＰの前面を被う透明板（前面板）と各レンズ本体１１、１４、１７、２３との間には、所定の距離Ｘを確保する必要がある。この距離Ｘは、Ｘ＞０とすることで、カード上の表記を所定のサイズに拡大して看取可能とすることができる。
【００３０】
このように、本実施形態では、カードホルダＨ１〜Ｈ４に係止可能な係止片１２、１５，１８、２４と、これらの係止片１２、１５、１８、２４がカードホルダＨ１〜Ｈ４に係止されることによって、カードホルダＨ１〜Ｈ４に差されたカードの前面を被うレンズ本体１１、１４、１７、２３と、を備え、各レンズ本体１１、１４、１７、２３が前記カード上に表された表記を拡大表示する構成としている。
【００３１】
従って、カードホルダＨ1〜Ｈ４に対し係止片１２、１５、１８、２４を係止操作するだけで、レンズ本体１１、１４、１７、２３をカードホルダＨ１〜Ｈ４の前面に位置させることができる。従って、このカードホルダＨ１〜Ｈ４に支持されたプライスカード等のカードＰに表記された商品の価格等の文字や数字を拡大して、顧客に容易かつ明瞭に看取ることができることとなる。
【００３２】
そして、レンズ本体１４、１７、２３をフレネルレンズとした場合には、これらが全体として肉薄であるにもかかわらず、プライスカード等のカードＰ上の表記を所期の倍率で拡大表示することができるほか、厚みが薄い分軽量化でき、材料コストの低減を図ることができる。
【００３３】
また、レンズ本体１４、２３をリニアフレネルレンズとした場合には、直線方向に並ぶ複数個のカードホルダＨ１〜Ｈ４に装着されたカードＰや長尺のカードホルダに装着された複数のカードＰ上の各表記を、横一列に纏めて拡大表示できることになる。
【００３４】
なお、前記においては、主にプライスカード上の表記を拡大表示する場合について説明したが、プライスカード以外の、例えば美術品などの展示説明用カードのカード表記を拡大する場合などにも、広く利用可能である。
【符号の説明】
【００３５】
１１、１４、１７、２３  レンズ部  
１２、１５、１８、２４  係止片
１３，１６、２０  ブリッジ部
１４ｂ、２３ｂ  階段状面
Ａ、Ｂ、Ｃ、Ｄ  拡大表示具の本体
Ｈ１〜Ｈ４  カードホルダ
Ｐ  カード（プライスカード）
【図１】
0003151037.tif 000003
【図２】
0003151037.tif 000004
【図３】
0003151037.tif 000005
【図４】
0003151037.tif 000006
【図５】
0003151037.tif 000007
【図６】
0003151037.tif 000008
【図７】
0003151037.tif 000009
【図８】
0003151037.tif 000010
【図９】
0003151037.tif 000011